(57)【要約】【課題】１枚のシートから構成され、柄部とポケット部とを有し、扇ぎ易く、紙片等をポケット部に収容し易いうちわおよびその製造方法を提供する。【解決手段】展開状態から柄部補強部３ｂ，３ｃを折り線Ａ，Ｂに沿ってそれぞれ折り返した後、第二の柄部外層部３ｄを折り線Ｃに沿って折り返し、柄部補強部３ｂ，３ｃと第二の柄部外層部３ｄとを糊付けするとともに、扇部補強部４のうちの左右突出部分と扇部２の下縁付近とを糊付けすることにより、第一の柄部外層部３ａと第二の柄部外層部３ｄとの間に柄部補強部３ｂ，３ｃが挟み込まれてなる３層積層構造の柄部を形成するとともに、扇部２と扇部補強部４のうちの糊付けされていない中央側部分４ａとの間および柄部内に、上部が開放されたポケット部を形成する。【選択図】図１
2013000395.tif 000002
【特許請求の範囲】
【請求項１】
１枚のシートから構成されるポケット部付きうちわにおいて、
組立前の展開状態では、扇部と、この扇部の下端部から下方に延びる縦長の形状を有する第一の柄部外層部と、この第一の柄部外層部の左右両側に設けられた柄部補強部と、前記第一の柄部外層部の下端部からさらに下方に延びる縦長の形状を有する第二の柄部外層部と、この第二の柄部外層部の下端部に設けられた、該第二の柄部外層部と大略逆Ｙ字ないしは逆Ｔ字状に交差する扇部補強部とを有し、
前記左右の柄部補強部をそれぞれ前記第一の柄部外層部に重なるように折り返した後、前記第二の柄部外層部を該第二の柄部外層部が前記左右の柄部補強部を介して前記第一の柄部外層部に重なるとともに前記扇部補強部が前記扇部の下縁付近に重なるように折り返し、前記左右の柄部補強部と前記第二の柄部外層部との互いに対向する面を糊付けするとともに、前記扇部補強部のうちの左右両端側部分と前記扇部の下縁付近との互いに対向する面を糊付けすることにより、前記第一の柄部外層部と前記第二の柄部外層部との間に前記左右の柄部補強部が挟み込まれてなる３層積層構造の柄部を形成するとともに、前記第一の柄部外層部および前記扇部と、互いに糊付けされた前記左右の柄部補強部および前記第二の柄部外層部並びに前記扇部補強部のうちの糊付けされていない中央側部分との間に、上部が開放されたポケット部を形成してなるポケット部付きうちわ。
【請求項２】
１枚のシートから構成されるポケット部付きうちわの製造方法において、
展開状態において、扇部と、この扇部の下端部から下方に延びる縦長の形状を有する第一の柄部外層部と、この第一の柄部外層部の左右両側に設けられた柄部補強部と、前記第一の柄部外層部の下端部からさらに下方に延びる縦長の形状を有する第二の柄部外層部と、この第二の柄部外層部の下端部に設けられた、該第二の柄部外層部と大略逆Ｙ字ないしは逆Ｔ字状に交差する扇部補強部とを有する１枚のシートを用意する段階と、
前記左右の柄部補強部をそれぞれ前記第一の柄部外層部に重なるように折り返した後、前記第二の柄部外層部を該第二の柄部外層部が前記左右の柄部補強部を介して前記第一の柄部外層部に重なるとともに前記扇部補強部が前記扇部の下縁付近に重なるように折り返す段階と、
前記左右の柄部補強部と前記第二の柄部外層部との互いに対向する面を糊付けするとともに、前記扇部補強部のうちの左右両端側部分と前記扇部の下縁付近との互いに対向する面を糊付けし、前記第一の柄部外層部と前記第二の柄部外層部との間に前記左右の柄部補強部が挟み込まれてなる３層積層構造の柄部を形成するとともに、前記第一の柄部外層部および前記扇部と、互いに糊付けされた前記左右の柄部補強部および前記第二の柄部外層部並びに前記扇部補強部のうちの糊付けされていない中央側部分との間に、上部が開放されたポケット部を形成する段階とを有してなるポケット部付きうちわの製造方法。
【発明の詳細な説明】
【技術分野】
【０００１】
本発明はうちわおよびその製造方法に係り、特に１枚のシートより構成され、かつポケット部を有するうちわおよびその製造方法に関する。
【背景技術】
【０００２】
従来、１枚の紙等のシートより構成されるうちわにおいて、ポケット状部分を有するうちわとしては、特許文献１において開示されている「ポケット把手式シート団扇」が存在した。この特許文献１に記載のうちわは、扇部の下部にポケット状をなす把持部を横長に形成するものであった。
【先行技術文献】
【特許文献】
【０００３】
【特許文献１】特開２０１０−３５９９７号公報
【発明の概要】
【発明が解決しようとする課題】
【０００４】
しかしながら、前記特許文献１に記載のうちわにおいては、把持部がポケット状にされているのは、強度を向上するとともに持ち易くする目的で、把持部を弓状山形に立体的に組み立てるためであり、メモ、メッセージ、広告等を記載した紙片等を収容することは事実上不可能であった。何故ならば、ポケット状の把持部が横長に形成され、しかも全体に弓状に湾曲しているからである。
【０００５】
また、把持部は横長に形成されているため、立体状となっているにしても、ユーザーはうわちを扇ぎにくいという問題があった。
【０００６】
また、把持部は、シートが単層の中空構造となる上、糊付けではなく、差し込み方式により組み立てられるため、潰れ易く、壊れ易いという問題もあった。
【０００７】
本発明は、このような従来の事情に鑑みてなされたもので、本発明の目的の一つは、１枚のシートから構成され、なおかつ縦長の柄部を有し、ユーザーが扇ぎ易いポケット部付きうちわおよびその製造方法を提供することにある。
【０００８】
本発明の他の目的は、ポケット部が縦長に形成され、メモ、メッセージ、広告等を記載した紙片等をポケット部に収容し易いポケット部付きうちわおよびその製造方法を提供することにある。
【０００９】
本発明の他の目的は、１枚のシートから構成されるにもかかわらず強度が大きく、長く使用しても壊れにくいポケット部付きうちわおよびその製造方法を提供することにある。
【００１０】
本発明のさらに他の目的は、以下の説明から明らかになろう。
【課題を解決するための手段】
【００１１】
本発明によるうちわは、
１枚のシートから構成されるポケット部付きうちわにおいて、
組立前の展開状態では、扇部と、この扇部の下端部から下方に延びる縦長の形状を有する第一の柄部外層部と、この第一の柄部外層部の左右両側に設けられた柄部補強部と、前記第一の柄部外層部の下端部からさらに下方に延びる縦長の形状を有する第二の柄部外層部と、この第二の柄部外層部の下端部に設けられた、該第二の柄部外層部と大略逆Ｙ字ないしは逆Ｔ字状に交差する扇部補強部とを有し、
前記左右の柄部補強部をそれぞれ前記第一の柄部外層部に重なるように折り返した後、前記第二の柄部外層部を該第二の柄部外層部が前記左右の柄部補強部を介して前記第一の柄部外層部に重なるとともに前記扇部補強部が前記扇部の下縁付近に重なるように折り返し、前記左右の柄部補強部と前記第二の柄部外層部との互いに対向する面を糊付けするとともに、前記扇部補強部のうちの左右両端側部分と前記扇部の下縁付近との互いに対向する面を糊付けすることにより、前記第一の柄部外層部と前記第二の柄部外層部との間に前記左右の柄部補強部が挟み込まれてなる３層積層構造の柄部を形成するとともに、前記第一の柄部外層部および前記扇部と、互いに糊付けされた前記左右の柄部補強部および前記第二の柄部外層部並びに前記扇部補強部のうちの糊付けされていない中央側部分との間に、上部が開放されたポケット部を形成してなるものである。
【００１２】
また、本発明によるうちわの製造方法は、
１枚のシートから構成されるポケット部付きうちわの製造方法において、
展開状態において、扇部と、この扇部の下端部から下方に延びる縦長の形状を有する第一の柄部外層部と、この第一の柄部外層部の左右両側に設けられた柄部補強部と、前記第一の柄部外層部の下端部からさらに下方に延びる縦長の形状を有する第二の柄部外層部と、この第二の柄部外層部の下端部に設けられた、該第二の柄部外層部と大略逆Ｙ字ないしは逆Ｔ字状に交差する扇部補強部とを有する１枚のシートを用意する段階と、
前記左右の柄部補強部をそれぞれ前記第一の柄部外層部に重なるように折り返した後、前記第二の柄部外層部を該第二の柄部外層部が前記左右の柄部補強部を介して前記第一の柄部外層部に重なるとともに前記扇部補強部が前記扇部の下縁付近に重なるように折り返す段階と、
前記左右の柄部補強部と前記第二の柄部外層部との互いに対向する面を糊付けするとともに、前記扇部補強部のうちの左右両端側部分と前記扇部の下縁付近との互いに対向する面を糊付けし、前記第一の柄部外層部と前記第二の柄部外層部との間に前記左右の柄部補強部が挟み込まれてなる３層積層構造の柄部を形成するとともに、前記第一の柄部外層部および前記扇部と、互いに糊付けされた前記左右の柄部補強部および前記第二の柄部外層部並びに前記扇部補強部のうちの糊付けされていない中央側部分との間に、上部が開放されたポケット部を形成する段階とを有してなるものである。
【００１３】
本発明のうちわにおいては、３層に積層された第一の柄部外層部、第二の柄部外層部および左右の柄部補強部により縦長の柄部が構成される。
【００１４】
そして、１枚のシートから構成されるにもかかわらず、縦長の形状を有する柄部を有するため、ユーザーはこの柄部を把持して扇ぐことにより、非常に扇ぎ易い。
【００１５】
また、ポケット部が柄部の内部を含んで縦長に形成されるので、メモ、メッセージ、広告等を記載した紙片等をポケット部に収容し易い。
【００１６】
また、柄部は第一の柄部外層部と第二の柄部外層部との間に左右の柄部補強部が挟み込まれた３層積層構造になること、第二の柄部外層部と左右の柄部補強部とは互いに糊付けされていること、さらには柄部と扇部との接続部になる扇部の下縁付近が扇部補強部の左右両外側部分を糊付けされて２層積層構造になっていることから、強度が大きく、長く使用しても壊れにくい。
【発明の効果】
【００１７】
本発明のポケット部付きうちわおよびその製造方法は、
（イ）１枚のシートから構成されるにもかかわらず、縦長の柄部を有し、扇ぎ易い、
（ロ）ポケット部が柄部の内部を含んで縦長に形成されているので、メモ、メッセージ、広告等を記載した紙片等をポケット部に収容し易い、
（ハ）強度が大きく、長く使用しても壊れにくい、
等の優れた効果を得られるものである。
【図面の簡単な説明】
【００１８】
【図１】本発明の一実施例における組立前の展開状態のうちわを示す正面図である。
【図２】前記実施例において、左右の柄部補強部を折り返した状態を示す正面図である。
【図３】前記実施例において、左右の柄部補強部および扇部補強部のうちの第一の柄部外層部より左右に突出している部分に糊を塗布した状態（網目部で表している）を示す正面図である。
【図４】前記実施例において、第二の柄部外層部を折り返し、左右の柄部補強部と第二の柄部外層部とを糊付けするとともに、扇部補強部のうちの第一の柄部外層部より左右に突出している部分と扇ぎ面の下縁付近とを糊付けし、うちわの組立が完了した状態を示す正面図である。
【図５】図４のＶ−Ｖ線における拡大断面図である。
【図６】図４のＶＩ−ＶＩ線における拡大断面図である。
【図７】図４のＶＩＩ−ＶＩＩ線における拡大断面図である。
【図８】前記実施例における完成品のうちわにメモ、メッセージ、広告等を記載した紙片を挿入した状態を示す正面図である。
【発明を実施するための形態】
【００１９】
以下、本発明を図面に示す実施例に基づいて説明する。
【実施例】
【００２０】
図１〜８は本発明の一実施例を示している。このうちわ１は、１枚の厚紙またはＰＰ（ポリプロピレン）、ＰＥＴ（ポリエチレンテフタレート）等のプラスチックシート等の可撓性シートから構成される。図１は組立前の展開状態を示している。このような展開状態において、うちわ１は大略円形の扇部２と、この扇部２の下端部から下方に延びる縦長の直線帯状の形状を有する第一の柄部外層部３ａと、この第一の柄部外層部３ａの左右両側に設けられた柄部補強部３ｂ，３ｃと、前記第一の柄部外層部３ａの下端部からさらに下方に延びる縦長の直線帯状の形状を有する第二の柄部外層部３ｄと、この第二の柄部外層部３ｄの下端部に設けられた、該第二の柄部外層部３ｄと大略逆Ｙ字ないしは逆Ｔ字状に交差する扇部補強部４とを有している。前記第一および第二の柄部外層部３ａ，３ｄは両者の境界線（後で説明する折り線Ｃ）に関して対称形状とされている。前記左右の柄部補強部３ｂ，３ｃは互いに左右対称形状とされている。前記左右の柄部補強部３ｂ，３ｃの幅は、それぞれ第一の柄部外層部３ａの幅の１／２より若干小さい寸法とされている。
【００２１】
このうちわ１の組立は次のように行われる。まず、左右の柄部補強部３ｂ，３ｃを第一の柄部外層部３ａとの境界をなす折り線Ａ，Ｂに沿って折り返すことにより、図２に示されるように、左右の柄部補強部３ｂ，３ｃをそれぞれ第一の柄部外層部３ａに重なるように折り返す（図の視点から言えば、谷折りすることになる）。
【００２２】
次に、図３において網線を施されている部分に糊を塗布する。すなわち左右の柄部補強部３ｂ，３ｃにおけるこの時点で表側になっている面と、扇部補強部４のうちの第一の柄部外層部３ａより左右に突出している部分におけるこの時点で表側になっている面にそれぞれ糊を塗布する。
【００２３】
次に、第二の柄部外層部３ｄを第一の柄部外層部３ａと第二の柄部外層部３ｄとの境界をなす折り線Ｃに沿って折り返し（図４の視点から言えば、谷折りすることになる）、図４に示されるように、第二の柄部外層部３ｄが左右の柄部補強部３ｂ，３ｃを介して第一の柄部外層部３ａに重なるとともに扇部補強部４が扇部２の下縁付近に重なるようにし、左右の柄部補強部３ｂ，３ｃと第二の柄部外層部３ｄとの互いに対向する面を糊付けするとともに、扇部補強部４のうちの第一の柄部外層部３ａより左右に突出している部分と前記扇部２の下縁付近との互いに対向する面を糊付けする。これにより、うちわ１の組立が完了する。図４はうちわ１の完成品を示している。なお、図４における点線Ｄ，Ｅは、扇部２と扇部補強部４との間における糊付け部と非糊付け部との間の境界線を示している。
【００２４】
この完成状態では、図６および７に示されるように第一の柄部外層部３ａと第二の柄部外層部３ｄとの間に左右の柄部補強部３ｂ，３ｃが挟み込まれてなる３層積層構造の縦長の柄部３が構成される。また、図５〜７によく示されるように、うちわ１には、柄部３内および扇部２と扇部補強部４との間の非糊付け部に連続する縦長のポケット部５が形成される。詳しく言うと、第一の柄部外層部３ａおよび扇部２と、互いに糊付けされた左右の柄部補強部３ｂ，３ｃおよび第二の柄部外層部３ｄ並びに扇部補強部４のうちの糊付けされていない中央側部分４ａとの間に、上部が開放され縦長のポケット部５が形成される。
【００２５】
図８は、完成品のうちわ１にメモ、メッセージ、広告等を記載した紙片６を挿入した状態を示している。なお、この図８では、紙片６は４つ折りされたものとしているが、勿論紙片６の大きさに応じて、２つ折り、３つ折り等の他の折り方としてもよいし、折らずにポケット部５に挿入してもよい。
【００２６】
このうちわ１においては、１枚のシートから構成されるにもかかわらず、縦長の形状を有する柄部３を有するため、ユーザーはこの柄部３を把持して扇ぐことにより、非常に扇ぎ易い。
【００２７】
また、ポケット部５が柄部３の内部を含んで縦長に形成されるので、メモ、メッセージ、広告等を記載した紙片６等をポケット部５に収容し易い。
【００２８】
また、柄部３は第一の柄部外層部３ａと第二の柄部外層部３ｄとの間に左右の柄部補強部３ｂ，３ｃが挟み込まれた３層積層構造になること、第二の柄部外層部３ｄと左右の柄部補強部３ｂ，３ｃとは互いに糊付けされていること、さらには柄部３と扇部２との接続部になる扇部２の下縁付近が扇部補強部４の左右両外側部分を糊付けされて２層積層構造になっていることから、強度が大きく、長く使用しても壊れにくい。
【００２９】
なお、本発明においては、扇部２、第一および第二の柄部外層部３ａ，３ｄ、柄部補強部３ｂ，３ｃおよび扇部補強部４の形状は、前記実施例の形状に限定されることはない。
【００３０】
また、前記実施例においては、ポケット部５に紙片６を挿入することにしているが、ポケット部５には紙片６以外の物品も挿入可能である。
【産業上の利用可能性】
【００３１】
以上のように本発明によるポケット部付きうちわおよびその製造方法は、一枚のシートから構成されるポケット部付きうちわおよびその製造方法として有用である。
【符号の説明】
【００３２】
１    うちわ
２    扇部
３    柄部
３ａ  第一の柄部外層部
３ｂ，３ｃ  柄部補強部
３ｄ  第二の柄部外層部
４    扇部補強部
４ａ  扇部補強部のうちの糊付けされていない中央側部分
５    ポケット部
６    紙片
Ａ，Ｂ，Ｃ  折り線
Ｄ，Ｅ  糊付け部と非糊付け部との間の境界線
【図１】
2013000395.tif 000003
【図２】
2013000395.tif 000004
【図３】
2013000395.tif 000005
【図４】
2013000395.tif 000006
【図５】
2013000395.tif 000007
【図６】
2013000395.tif 000008
【図７】
2013000395.tif 000009
【図８】
2013000395.tif 000010
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
１枚のシートから構成されるポケット部付きうちわにおいて、
組立前の展開状態では、扇部と、この扇部の下端部から下方に延びる縦長の形状を有する第一の柄部外層部と、この第一の柄部外層部の左右両側に設けられた柄部補強部と、前記第一の柄部外層部の下端部からさらに下方に延びる縦長の形状を有する第二の柄部外層部と、この第二の柄部外層部の下端部に設けられた、該第二の柄部外層部と大略逆Ｙ字ないしは逆Ｔ字状に交差する扇部補強部とを有し、
前記左右の柄部補強部をそれぞれ前記第一の柄部外層部に重なるように折り返した後、前記第二の柄部外層部を該第二の柄部外層部が前記左右の柄部補強部を介して前記第一の柄部外層部に重なるとともに前記扇部補強部が前記扇部の下縁付近に重なるように折り返し、前記左右の柄部補強部と前記第二の柄部外層部との互いに対向する面を糊付けするとともに、前記扇部補強部のうちの左右両端側部分と前記扇部の下縁付近との互いに対向する面を糊付けすることにより、前記第一の柄部外層部と前記第二の柄部外層部との間に前記左右の柄部補強部が挟み込まれてなる３層積層構造の柄部を形成するとともに、前記第一の柄部外層部および前記扇部と、互いに糊付けされた前記左右の柄部補強部および前記第二の柄部外層部並びに前記扇部補強部のうちの糊付けされていない中央側部分との間に、上部が開放されたポケット部を形成してなり、外部から物品を前記ポケット部の上部の開放部を通じて該ポケット部内の前記第一の柄部外層部と前記左右の柄部補強部との間の部分に達するまで挿入できるようになっているポケット部付きうちわ。
【請求項２】
１枚のシートから構成されるポケット部付きうちわの製造方法において、
展開状態において、扇部と、この扇部の下端部から下方に延びる縦長の形状を有する第一の柄部外層部と、この第一の柄部外層部の左右両側に設けられた柄部補強部と、前記第一の柄部外層部の下端部からさらに下方に延びる縦長の形状を有する第二の柄部外層部と、この第二の柄部外層部の下端部に設けられた、該第二の柄部外層部と大略逆Ｙ字ないしは逆Ｔ字状に交差する扇部補強部とを有する１枚のシートを用意する段階と、
前記左右の柄部補強部をそれぞれ前記第一の柄部外層部に重なるように折り返した後、前記第二の柄部外層部を該第二の柄部外層部が前記左右の柄部補強部を介して前記第一の柄部外層部に重なるとともに前記扇部補強部が前記扇部の下縁付近に重なるように折り返す段階と、
前記左右の柄部補強部と前記第二の柄部外層部との互いに対向する面を糊付けするとともに、前記扇部補強部のうちの左右両端側部分と前記扇部の下縁付近との互いに対向する面を糊付けし、前記第一の柄部外層部と前記第二の柄部外層部との間に前記左右の柄部補強部が挟み込まれてなる３層積層構造の柄部を形成するとともに、前記第一の柄部外層部および前記扇部と、互いに糊付けされた前記左右の柄部補強部および前記第二の柄部外層部並びに前記扇部補強部のうちの糊付けされていない中央側部分との間に、上部が開放されたポケット部を形成し、外部から物品を前記ポケット部の上部の開放部を通じて該ポケット部内の前記第一の柄部外層部と前記左右の柄部補強部との間の部分に達するまで挿入できるようにする段階とを有してなるポケット部付きうちわの製造方法。
【手続補正２】
【補正対象書類名】明細書
【補正対象項目名】００１１
【補正方法】変更
【補正の内容】
【００１１】
本発明によるうちわは、
１枚のシートから構成されるポケット部付きうちわにおいて、
組立前の展開状態では、扇部と、この扇部の下端部から下方に延びる縦長の形状を有する第一の柄部外層部と、この第一の柄部外層部の左右両側に設けられた柄部補強部と、前記第一の柄部外層部の下端部からさらに下方に延びる縦長の形状を有する第二の柄部外層部と、この第二の柄部外層部の下端部に設けられた、該第二の柄部外層部と大略逆Ｙ字ないしは逆Ｔ字状に交差する扇部補強部とを有し、
前記左右の柄部補強部をそれぞれ前記第一の柄部外層部に重なるように折り返した後、前記第二の柄部外層部を該第二の柄部外層部が前記左右の柄部補強部を介して前記第一の柄部外層部に重なるとともに前記扇部補強部が前記扇部の下縁付近に重なるように折り返し、前記左右の柄部補強部と前記第二の柄部外層部との互いに対向する面を糊付けするとともに、前記扇部補強部のうちの左右両端側部分と前記扇部の下縁付近との互いに対向する面を糊付けすることにより、前記第一の柄部外層部と前記第二の柄部外層部との間に前記左右の柄部補強部が挟み込まれてなる３層積層構造の柄部を形成するとともに、前記第一の柄部外層部および前記扇部と、互いに糊付けされた前記左右の柄部補強部および前記第二の柄部外層部並びに前記扇部補強部のうちの糊付けされていない中央側部分との間に、上部が開放されたポケット部を形成してなり、外部から物品を前記ポケット部の上部の開放部を通じて該ポケット部内の前記第一の柄部外層部と前記左右の柄部補強部との間の部分に達するまで挿入できるようになっているものである。
【手続補正３】
【補正対象書類名】明細書
【補正対象項目名】００１２
【補正方法】変更
【補正の内容】
【００１２】
また、本発明によるうちわの製造方法は、
１枚のシートから構成されるポケット部付きうちわの製造方法において、
展開状態において、扇部と、この扇部の下端部から下方に延びる縦長の形状を有する第一の柄部外層部と、この第一の柄部外層部の左右両側に設けられた柄部補強部と、前記第一の柄部外層部の下端部からさらに下方に延びる縦長の形状を有する第二の柄部外層部と、この第二の柄部外層部の下端部に設けられた、該第二の柄部外層部と大略逆Ｙ字ないしは逆Ｔ字状に交差する扇部補強部とを有する１枚のシートを用意する段階と、
前記左右の柄部補強部をそれぞれ前記第一の柄部外層部に重なるように折り返した後、前記第二の柄部外層部を該第二の柄部外層部が前記左右の柄部補強部を介して前記第一の柄部外層部に重なるとともに前記扇部補強部が前記扇部の下縁付近に重なるように折り返す段階と、
前記左右の柄部補強部と前記第二の柄部外層部との互いに対向する面を糊付けするとともに、前記扇部補強部のうちの左右両端側部分と前記扇部の下縁付近との互いに対向する面を糊付けし、前記第一の柄部外層部と前記第二の柄部外層部との間に前記左右の柄部補強部が挟み込まれてなる３層積層構造の柄部を形成するとともに、前記第一の柄部外層部および前記扇部と、互いに糊付けされた前記左右の柄部補強部および前記第二の柄部外層部並びに前記扇部補強部のうちの糊付けされていない中央側部分との間に、上部が開放されたポケット部を形成し、外部から物品を前記ポケット部の上部の開放部を通じて該ポケット部内の前記第一の柄部外層部と前記左右の柄部補強部との間の部分に達するまで挿入できるようにする段階とを有してなるものである。